(57)【要約】【課題】ズーム撮影が好適に行えるデジタルカメラを提供する。【解決手段】画像表示手段とズームレンズを備えるデジタルカメラ。現在のズーム状態が検出されるとともに、検出されたズーム状態と最大ズーム率より、最大ズーム状態における画像の切り取り可能領域が算出され、画像の切り取り可能領域が画像表示手段にオーバーレイ表示される。また、現在の撮影条件より手ブレ警告が出始めるズーム状態が算出され、このズーム状態における撮影画像領域が画像表示手段にオーバーレイ表示される。【選択図】      図５
2006025092.tif 000002
【特許請求の範囲】
【請求項１】
画像表示手段とズームレンズを備える撮影装置において、
現在のズーム状態が検出されるとともに、該検出されたズーム状態と最大ズーム率より、最大ズーム状態における画像の切り取り可能領域が算出され、
該画像の切り取り可能領域が前記画像表示手段に識別可能に表示されることを特徴とする撮影装置。
【請求項２】
画像表示手段とズームレンズと手ブレ警告手段を備える撮影装置において、
現在のズーム状態を含む撮影条件より手ブレ警告が出始めるズーム状態が算出され、
該算出されたズーム状態における撮影画像領域が前記画像表示手段に識別可能に表示されることを特徴とする撮影装置。
【請求項３】
各ズーム状態における手ブレ警告となる条件を判定する手ブレ警告条件判定手段を備え、
ズームアップ動作中に手ブレ警告条件と判定されると、該ズームアップ動作が停止されることを特徴とする請求項１又は２に記載の撮影装置。
【発明の詳細な説明】
【技術分野】
【０００１】
本発明は、デジタルカメラ等の撮影装置に係り、特に、ズームレンズを備えズーム撮影が好適に行える撮影装置に関する。
【背景技術】
【０００２】
近年、急速に普及しているデジタルカメラ（電子カメラ）において、ズームレンズを備える機種も一般的になってきている。このズーム撮影が行えるデジタルカメラでは、表示手段としての、電子ビューファインダ（ＥＶＦ）や液晶ディスプレイ（ＬＣＤ）を見ながらズーム動作（ズームアップ、ズームアウト）を行う構成のものが一般的である。
【０００３】
このようなデジタルカメラにおいて、ズーム動作が容易になるように、電子ビューファインダ等に各種の工夫をこらす提案がなされている（特許文献１、２参照）。
【０００４】
このうち、特許文献１は、現在対象とする撮影領域の外側まで電子ビューファインダに表示させるべく、電子ビューファインダ専用の光学系を設けた構成のもので、撮影者がズーム鏡筒を広角（ＷＩＤＥ）側に移動させるか否かの判断を容易にする提案である。
【０００５】
特許文献２は、カメラ制御装置に関する提案であり、表示部に、ズーム時の最大視野を示す矩形のサイズを変えて表示するようにした構成のもので、違和感のない表示を可能とする提案である。
【特許文献１】特開平５−１００２８８号公報
【特許文献２】特開平９−１０２９０２号公報
【発明の開示】
【発明が解決しようとする課題】
【０００６】
しかしながら、ズーム機能を有する現状のデジタルカメラにおいては、表示手段に問題点があり、操作性が不十分であると言った不具合が指摘されている。
【０００７】
その１つとして、撮影時に、どの範囲までズームアップできるか、実際にズーム動作させてみなければ判らないという不具合がある。
【０００８】
他の１つとして、撮影時のズームアップの過程で、どのズーム位置で手ブレ警告が出るか、実際にズーム動作させてみなければ判らないという不具合がある。手ブレ補正機構を持たないデジタルカメラでは、撮影ミスを少なくするべく、スローシャッター時の手ブレ警告を電子ビューファインダ等に表示するのが一般的である。特に、ズームアップし、ズーム鏡筒を望遠（ＴＥＬＥ）側に移動させると、Ｆ値が大きくなり（暗くなり）、シャッター速度が遅くなり、手ブレしやすくなり、上記不具合は問題となる。
【０００９】
これに対し、前記従来の提案でも、上記の各問題点に対処できるものは見当たらない。たとえば、特許文献１は、ズーム鏡筒を広角（ＷＩＤＥ）側に移動させる際の提案であり、望遠（ＴＥＬＥ）側については、何らの工夫が施されていない。すなわち、特許文献１では、望遠（ＴＥＬＥ）側については既に視野に入っている。
【００１０】
また、特許文献２においても、遠隔操作によりカメラを制御する際のパン・ズーム領域について、その可動範囲が判るようにホスト装置に表示されるので、可動範囲は判るものの、これは全体の可動範囲領域内での相対的な位置関係が把握されるものであり、具体的に現在見えている画像内のズーム領域が判る訳ではない。
【００１１】
本発明はこのような事情に鑑みてなされたもので、上記の各問題点が解消され、ズーム撮影が好適に行えるデジタルカメラ等の撮影装置を提供することを目的とする。
【課題を解決するための手段】
【００１２】
前記目的を達成するために、請求項１に係る本発明は、画像表示手段とズームレンズを備える撮影装置において、現在のズーム状態が検出されるとともに、該検出されたズーム状態と最大ズーム率より、最大ズーム状態における画像の切り取り可能領域が算出され、該画像の切り取り可能領域が前記画像表示手段に識別可能に表示されることを特徴とする撮影装置を提供する。
【００１３】
請求項１に係る本発明によれば、現在のズーム状態と最大ズーム率より、最大ズーム状態における画像の切り取り可能領域が算出され、画像表示手段に識別可能に表示される（たとえば、オーバーレイ表示される）ので、どの範囲までズームアップできるか、実際にズーム動作させなくても判る。したがって、ズーム動作時の操作性が大幅に向上する。
【００１４】
請求項２に係る本発明は、画像表示手段とズームレンズと手ブレ警告手段を備える撮影装置において、現在のズーム状態を含む撮影条件より手ブレ警告が出始めるズーム状態が算出され、該算出されたズーム状態における撮影画像領域が前記画像表示手段に識別可能に表示されることを特徴とする撮影装置を提供する。
【００１５】
請求項２に係る本発明によれば、現在の撮影条件より手ブレ警告が出始めるズーム状態が算出され、撮影画像領域が画像表示手段に識別可能に表示される（たとえば、オーバーレイ表示される）ので、手ブレ警告とならずにどの範囲までズームアップできるか、実際にズーム動作させなくても判る。したがって、ズーム動作時の操作性が大幅に向上する。
【００１６】
請求項３に係る本発明は、ズームレンズと手ブレ警告手段を備えるカメラにおいて、各ズーム状態における手ブレ警告となる条件を判定する手ブレ警告条件判定手段を備え、ズームアップ動作中に手ブレ警告条件と判定されると、該ズームアップ動作が停止されることを特徴とするカメラを提供する。
【００１７】
請求項３に係る本発明によれば、手ブレ警告条件判定手段を備え、ズームアップ動作中に手ブレ警告条件と判定されると、ズームアップ動作が停止されるので、不用意に手ブレ警告範囲に入ることが防止できる。したがって、ズーム動作時の操作性が大幅に向上する。
【発明の効果】
【００１８】
本発明によれば、ズーム撮影が好適に行える撮影装置を提供することができる。
【発明を実施するための最良の形態】
【００１９】
以下、添付図面に従って本発明に係る撮影装置の好ましい実施の形態について詳説する。
【００２０】
図１乃至図３はそれぞれ、本発明が適用されるデジタルカメラの外観を示した正面図、平面図及び背面図である。図１に示されるように、デジタルカメラ１０の正面には、撮影レンズ（鏡筒）１２、ファインダ窓１４、ストロボ１６、ストロボ調光センサー１８などが設けられており、また、デジタルカメラ１０の内部で撮影レンズ１２の結像位置には、図１において図示しないＣＣＤ（撮像素子）５２が配置されている。
【００２１】
図２に示されるようにデジタルカメラ１０の上面には、シャッタボタン２２と電源スイッチ２４が設けられている。シャッタボタン２２は２段階式に構成され、シャッタボタン２２を軽く押して止める「半押し」の状態で自動ピント合わせ（ＡＦ）及び自動露出制御（ＡＥ）が作動してＡＦとＡＥをロックし、「半押し」から更に押し込む「全押し」することにより後述する撮影が行われる。
【００２２】
図３に示されるようにデジタルカメラ１０の背面には、文字表示用液晶パネル２６、表示手段を構成する液晶モニタ（ＬＣＤ）２８、モードスイッチ３０、ズーム中心位置指示手段を構成する十字カーソルボタン３２、表示手段を構成するファインダ３４、ズーム倍率指示手段を構成するズーム拡大／縮小ボタン４４、４６などが設けられている。
【００２３】
文字表示用液晶パネル２６は、カメラの状態や撮影モードなどに関する情報（いわば撮影ステータス）を表示するものであり、たとえば、内蔵されているバッテリの残量チェック表示、撮影可能コマ数の表示、ストロボ発光有無の表示などが行われる。なお、文字表示用液晶パネル２６の横にはストロボ発光の有無を設定するストロボボタン３６やマクロ撮影を設定するマクロボタン３８が設けられている。
【００２４】
ＬＣＤ２８は主として画像を表示するもので、撮影前に撮影画像の確認を行えるように撮影レンズ１２にて撮影された画像（スルー動画）を表示させ、また、デジタルカメラ１０に装填されたメモリカード６４（図４参照）から記録済みの画像を読み取って再生表示させるものである。なお、ＬＣＤ２８の上部には表示ボタン４２が配置され、ＬＣＤ２８の表示の有無をオン／オフ切り替えできる。
【００２５】
ファインダ３４は、従来の銀塩フィルム用カメラのファインダと同様に、撮影前に撮影画像の確認を行えるようになっているが、光学式のファインダに代えて電子ビューファインダ（ＥＶＦ）が採用されている。このファインダ３４を使用しないで、ＬＣＤ２８を使用することもできる。
【００２６】
ファインダ３４の左側に隣接して設けられたファインダＬＥＤ２０は、各状態を表示するためのもので、たとえば、緑色が点灯している場合は、準備完了を示し、緑色が点滅している場合は、ＡＦ・ＡＥ動作中の手ブレ警告を示し、橙色が点滅している場合は、ストロボ充電中又はＰＣ通信中を示し、操作できない旨の警告となる。
【００２７】
モードスイッチ３０は、十字カーソルボタン３２の外周に配置されたリング部材からなり、時計回転方向及び反時計回転方向の両方向に回動自在となっている。このモードスイッチ３０は、カメラのモードを変更などするもので、このモードスイッチ３０を回動操作することにより、たとえば、撮影を行う撮影モード、撮影した画像の再生を行う再生モードなど、各種設定モードの選択を行うことができる。
【００２８】
十字カーソルボタン３２は、上下左右のいずれかの縁部（上／下／左／右キー）を押圧することによって十字カーソルボタン３２が傾き、対応する４方向（上、下、右、左）の指示を入力できるようにしたもので、前述した設定モードの各種設定項目の選択や、設定内容の変更、再生コマの送り／戻しを指示する操作ボタンとして使用される。また、これに加えて十字カーソルボタン３２は、ズーム中心位置手段における操作部として用いられ、ズーム中心位置を十字カーソルボタン３２の押圧された４方向（上、下、右、左）に応じて移動させて、任意位置（撮影者の所望の位置）に移動できる。
【００２９】
ズーム拡大ボタン４４及びズーム縮小ボタン４６は、十字カーソルボタン３２に近接するように設けられ、これらは後述するズーム倍率指示手段における操作部として用いられる。ズーム拡大／縮小ボタン４４、４６によってデジタルズーム領域（再生ズーム領域）を変更して任意の大きさ（撮影者の所望のズーム倍率）に変更できる。
【００３０】
また、図３には示されていないが、デジタルカメラ１０の内部には、記録媒体としてメモリカード６４を装着するメモリスロットが設けられている。このメモリカード６４にデジタルカメラ１０に内蔵されたカードリーダ／ライタ装置（図４参照）６３によって、撮影された画像が画像データとして記録されて保存されるほか、記録済みの画像をメモリカード６４から読み取ることも可能である。なお、本実施の形態においては、メモリカード６４としてはたとえばスマートメディアが使用されるが、記録媒体としてＰＣカード、フラッシュメモリーカード、ＩＣカード、フロッピーディスク、光磁気ディスク（ＭＯ）などを用いてもよい。
【００３１】
図４は、上記デジタルカメラ１０の内部構成を示したブロック図である。デジタルカメラ１０は主としてズーム倍率指示手段及びズーム中心位置指示手段を構成する操作基板７０、中央処理装置（ＣＰＵ）５０、ＣＣＤ５２、アナログ信号処理部５４、枠表示手段及び画像取込手段を構成するデジタル信号処理部５８、表示手段を構成する表示メモリ６６、ファインダ３４、ＬＣＤ２８、カードリーダライタ装置６３、メモリカード６４などから構成される。
【００３２】
操作基板７０は、図１乃至図３に示された各種操作部材の夫々と回路接続されており、撮影者によるこれら操作部材の操作（たとえばモードスイッチ３０の回転操作など）に基づいて、ＣＰＵ５０に指示信号を出力する。特に、操作基板７０はズーム拡大／縮小ボタン４４、４６、十字カーソルボタン３２、表示ボタン４２と回路接続されており、ズーム拡大ボタン４４の押圧操作によって、操作基板７０からＣＰＵ５０にズーム倍率の指示信号を出力するほか、後述するように操作基板７０からＣＰＵ５０に、各ボタンに対応した指示信号を出力する。
【００３３】
また、既述のように、表示ボタン４２はＬＣＤ２８の表示の有無をオン／オフ切り替えできる。なお、図４においては、これらズーム拡大ボタン４４、ズーム縮小ボタン４６、十字カーソルボタン３２、表示ボタン４２を例として示し、他の操作部材はその表記を省略してある。
【００３４】
ＣＰＵ５０は、操作基板７０からの指示信号の入力に基づいて、デジタル信号処理部５８に制御信号を出力するとともに、各回路を総括的に制御する。また、ＣＰＵ５０にはファインダＬＥＤ２０が回路接続されており、ズーミングを行いズーム倍率を変更する際に、ズーム・アップかズーム・バックかの判断ができるようなランプ表示ができるようになっている。
【００３５】
また、ＣＰＵ５０は、レンズ駆動部１２Ａを制御して、撮影レンズ１２を駆動させ、ズーム動作（ズーミングモータ等による）、フォーカス制御（焦点調整モータ等による）等を行わせる。
【００３６】
更に、ＣＰＵ５０は、現在の撮影条件（シャッター速度、Ｆ値等）により手ブレとなるか否かを判断し、手ブレとなる条件範囲にある場合には、既述のように、ファインダＬＥＤ２０に手ブレ警告（緑色の点滅）させる。すなわち、ＣＰＵ５０、ファインダＬＥＤ２０等により手ブレ警告手段を構成する。なお、手ブレとなるか否かの判断は、公知の（市販されている各種の）デジタルカメラと同様のフローを採用すればよい。
【００３７】
ＣＣＤ（撮像素子）５２は、撮影レンズ１２から取り込まれて結像された被写体光を、入射光量に応じた量の信号電荷に変換する。この信号電荷は電圧信号（画像信号）として順次ＣＣＤ５２から読み出されて、アナログ信号処理部５４に加えられる。なお、撮像素子としてはこのＣＣＤに限らず、後述するＣＭＯＳイメージセンサーなどを用いてもよい。
【００３８】
アナログ信号処理部５４は、ＣＣＤ５２から加えられた画像信号にサンプリングやホワイトバランス調整などの所要のアナログ処理を施す。また、アナログ処理された画像信号をＡ／Ｄ変換器５６によって画像データ（デジタルデータ）に変換させ、デジタル信号処理部５８に出力させる。なお、ＣＣＤ５２、アナログ信号処理部５４及びＡ／Ｄ変換器５６は、タイミングジェネレータ（ＴＧ）５７からのタイミング信号により同期して動作される。
【００３９】
デジタル信号処理部５８は、アナログ信号処理部５４（Ａ／Ｄ変換器５６）から入力された画像データ（ＣＣＤ５２の全画素領域の画像データ）に、必要に応じてガンマ補正などのデジタル処理を施し、この画像データを表示メモリ６６（メモリ６０）に出力する。また、ＣＰＵ５０からズーム中心位置ズーム倍率を制御する制御信号がデジタル信号処理部５８に入力されることにより、前述したガンマ補正などのデジタル処理に加えて、画像データからズーム中心位置を中心としたズーム倍率の画像データを切り出して１画面分の画像を生成し、この画像をデジタルズーム領域の画像として取り込むデジタルズーム処理が行われる。
【００４０】
また、枠表示手段を構成するデジタル信号処理部５８では、デジタルズーム処理された画像データに対して拡大枠の画像データの付加を行う。この拡大枠は、ＣＣＤ５２によって撮像された全画素領域（または記録媒体に記録された画像の全領域）に対するデジタルズーム領域（撮影者によって十字カーソルボタン３２、ズーム拡大／縮小ボタン４４、４６を操作して指示される）に基づいて、デジタルズーム領域の大きさ位置を全画素領域（または全領域）に対して相対的に示したものである。拡大枠が付加された画像データは表示メモリ６６に出力される。
【００４１】
メモリカード６４は画像データを記録保存する。モードスイッチ３０（図３参照）を撮影モードとし、シャッタボタン２２（図２参照）の押圧操作による記録指示入力があると、ＣＰＵ５０からデジタル信号処理部５８に制御信号が出力され、ＣＣＤ５２から１コマ分の画像データが読み込まれ、デジタル信号処理部５８にて上述したデジタル処理またはデジタルズーム処理が施された後、この画像データがメモリ６０に書き込まれる。なお、メモリ６０に書き込まれる画像データには、拡大枠の付加は行われない。メモリ６０に書き込まれた画像データは圧縮伸張回路６２によって圧縮処理されて、カードリーダ／ライタ装置６３によってメモリカード６４に記録されて保存される。
【００４２】
ＬＣＤ２８及びファインダ３４は、表示メモリ６６に書き込まれた画像（スルー動画）を表示する。モードスイッチ３０を撮影モードとし、表示ボタン４２によってスルー動画の表示をオンにすると（図３参照）、デジタル信号処理部５８にはＣＣＤ５２から画像データが連続して読み込まれ、デジタル信号処理部５８によるデジタル処理など（デジタルズーム処理や拡大枠の付加）が連続して画像データに施された後、その画像データが表示メモリ６６に書き込まれる。表示メモリ６６の画像データは順次新しく読み込まれた画像データによって書き換えられ、これによりＬＣＤ２８及びファインダ３４にてスルー動画が表示される。
【００４３】
また、ＬＣＤ２８には、メモリカード６４に記録保存されている画像も表示できる。モードスイッチ３０を再生モードとし、所定の操作によってメモリカード６４に記録されたいずれかの画像データの再生を指定すると、その画像データがメモリカード６４からカードリーダ／ライタ装置６３によって読み出され、圧縮伸張回路６２によって伸張処理された後、デジタル信号処理部５８にてデジタル処理などが行われ、表示メモリ６６を介してＬＣＤ２８に表示される。
【００４４】
なお、ＬＣＤ２８は画角が撮影者に把握できればよいので、一般的にパソコンなどで用いられる液晶モニタと比較して、画素数の少ないもの（解像度の低いもの）を用いてもよい。これに伴い、デジタル信号処理部５８から表示メモリ６６に書き込まれる画像データも、画像データのデータ数を間引いた解像度の低いものを用いることができる。
【００４５】
このような構成のデジタルカメラ１０によって、デジタル信号処理部５８においてデジタル処理などが行なわれた画像データはＬＣＤ２８又はファインダ３４にて表示され、撮影者は、ＬＣＤ２８又はファインダ３４にてＣＣＤの全画素領域の画像を確認できる（等倍撮影）。また、撮影者によって十字カーソルボタン３２またはズーム拡大／縮小ボタン４４、４６が押圧操作されると、デジタル信号処理部５８においてデジタルズーム処理が行なわれ、拡大枠が付加された画像データがＬＣＤ２８又はファインダ３４にて表示され、撮影者は、ＬＣＤ２８又はファインダ３４にてズーム倍率ズーム中心位置を確認できる（デジタルズーム機能）。
【００４６】
更に、メモリカード６４に記録保存されている画像データに対し、デジタル信号処理部５８においてデジタル処理が行なわれ、撮影者はＬＣＤ２８にてメモリカード６４に記録保存されている画像データを確認できる（等倍再生）。また、このときに撮影者によって十字カーソルボタン３２またはズーム拡大／縮小ボタン４４、４６が押圧操作されるとデジタルズーム処理が行なわれ、拡大枠が付加された画像データがＬＣＤ２８にて表示される（再生ズーム機能）。
【００４７】
次に、このような構成のデジタルカメラ１０のズーム撮影の手順について説明する。図５は、本実施形態（ズーム撮影）の流れを説明するフローチャートである。
【００４８】
最初に、ＣＰＵ５０は、現在のズーム状態（ズームポジション値）を取得する（ステップＳ１０）。
【００４９】
次に、図６の表（実際は不揮発性メモリの内容）のこのズームポジション値に対応するＴＥＬＥ−Ｍａｘ枠パターンＮｏを取得する（ステップＳ１２）。なお、図６の表は、ズーム位置（この場合、０〜１５）が、あるポジションにあるとき、このポジションに対応する、
１）最大ズーム枠を表示すべき表示手段（ファインダ３４又はＬＣＤ２８）上の枠パターンＮｏ、
２）警告を出すべきシャッター速度条件、
をテーブル化したものである。
【００５０】
また、このＴＥＬＥ−Ｍａｘ枠パターンＮｏに対応するＴＥＬＥ−Ｍａｘ枠パターンは、図７に示される。図７において、最外の枠は、表示手段（ファインダ３４又はＬＣＤ２８）の視野範囲の外縁であり、その内側に向かってＮｏ１５〜Ｎｏ０までＮｏに対応するＴＥＬＥ−Ｍａｘ枠パターンが表示されている。
【００５１】
次に、図７に示されるＴＥＬＥ−Ｍａｘ枠パターンのうち、Ｎｏに対応するＴＥＬＥ−Ｍａｘ枠パターンを表示手段（ファインダ３４又はＬＣＤ２８）に描画する（ステップＳ１４）。図８は、表示手段（ファインダ３４又はＬＣＤ２８）の視野内を示す図であり、最外の枠が視野範囲の外縁であり、この内部の実線の枠が最大ズームアップ時（ＴＥＬＥ−Ｍａｘ時）の視野枠である。この視野枠は、画像に対しオーバーレイ表示されている。
【００５２】
たとえば、ステップＳ１０において取得した現在のズーム状態（ズームポジション値）が２である場合、図６の表より、対応するＴＥＬＥ−Ｍａｘ枠パターンＮｏは２となり、図７に示されるＴＥＬＥ−Ｍａｘ枠パターンのうち、２に対応するＴＥＬＥ−Ｍａｘ枠パターンが図８に表示されることになる。
【００５３】
次に、現在設定されているシャッター速度を取得する（ステップＳ１６）。
【００５４】
次に、取得したシャッター速度と図６の表（実際は不揮発性メモリの内容）のシャッター速度とを比較し、図６の表をＷＩＤＥ側からＴＥＬＥ側に向けてサーチし、取得したシャッター速度より速いシャッター速度位置を見つける（ステップＳ１８）。
【００５５】
次に、ステップＳ１８において、このシャッター速度位置が見つけられたか否か判定する（ステップＳ２０）。見つけられなかった（Ｎｏ）場合には、処理を終了する（ステップＳ９９９）。
【００５６】
一方、シャッター速度位置が見つけられた（Ｙｅｓ）場合には、図６の表のこのシャッター速度に対応するＴＥＬＥ−Ｍａｘ枠パターンＮｏを取得し、これを注意ズーム位置とし、この注意ズーム位置と現在のズーム位置とより、図９の表より対応する注意枠のパターンＮｏを取得する（ステップＳ２２）。
【００５７】
なお、図９は、縦欄の現在のズーム位置のＮｏ（０〜１５）と、横欄の注意ズーム位置のＮｏ（０〜１５）とより注意枠のパターンＮｏが取得できるように配列した表である。
【００５８】
そして、注意枠のパターンＮｏに該当する枠パターンを図７より取得し、この枠パターンを表示手段（ファインダ３４又はＬＣＤ２８）に描画する（ステップＳ２４）。図８の破線の枠は、この手ブレ注意枠であり、実線の最大ズームアップ時の視野枠と同様に、画像に対しオーバーレイ表示されている。
【００５９】
その後、処理を終了する（ステップＳ９９９）。
【００６０】
ステップＳ１６からステップＳ２４までの処理において、たとえば、設定されているシャッター速度が１／４５である場合、図６の表の対応するＴＥＬＥ−Ｍａｘ枠パターンＮｏは３となる。また、現在のズーム状態（ズームポジション値）が０である場合、図９の表の縦欄の現在のズーム位置Ｎｏの０と、横欄の注意ズーム位置Ｎｏの３とより注意枠のパターンＮｏは１２となる。したがって、図７より枠パターン１２を取得し、この枠パターンを表示手段に破線でオーバーレイ表示すればよい。
【００６１】
以上に説明したように、本実施形態によれば、最大ズーム状態における画像の切り取り可能領域が算出され、画像表示手段にオーバーレイ表示されるので、どの範囲までズームアップできるか、実際にズーム動作させなくても判る。また、手ブレ警告が出始めるズーム状態が算出され、撮影画像領域が画像表示手段にオーバーレイ表示されるので、手ブレ警告とならずにどの範囲までズームアップできるか、実際にズーム動作させなくても判る。したがって、ズーム動作時の操作性が大幅に向上する。
【００６２】
以上、本発明に係る撮影装置の実施形態について説明したが、本発明は上記実施形態に限定されるものではなく、各種の態様が採り得る。
【００６３】
たとえば、本実施形態の手ブレ警告手段（ＣＰＵ５０、ファインダＬＥＤ２０等による）に加え、各ズーム状態における手ブレ警告となる条件を判定する手ブレ警告条件判定手段を設け（ＣＰＵ５０等による）、ズームアップ動作中に手ブレ警告条件と判定されると、レンズ駆動部１２Ａを制御して、撮影レンズ１２の駆動（ズーミングモータ等による）によるズームアップ動作が停止されるようにすることもできる。
【００６４】
このようにすれば、不用意に手ブレ警告範囲に入ることが防止できる。したがって、ズーム動作時の操作性が大幅に向上する。
【００６５】
なお、このようにズームアップ動作が停止されるようにするのは、撮影者に警告するためのものであり、撮影者が再度シャッタボタン２２を半押しすることにより、ズームアップ動作を継続させるようにすることもできる。
【００６６】
また、本実施形態では、最大ズーム状態における画像の切り取り可能領域が画像表示手段にオーバーレイ表示されるようになっているが、他の表示方法により識別可能に表示されるようになっている構成も採用できる。たとえば、画像表示手段に表示される画像の切り取り可能領域の部分のみ、その周辺の領域より輝度を高くした状態で表示し、一見して区別がつくような態様も採用できる。
【００６７】
また、本実施形態では、デジタルカメラにおいて本発明を適用した場合について説明したが、本発明は、撮像素子によって電気信号で画像を取得するデジタルカメラ全てに適用できるので、レンズ交換が可能なデジタルカメラとしてレフレックスデジタルカメラ（一眼レフデジタルカメラ）にも適用できる。
【００６８】
更に、本発明は、デジタルカメラのみならず、他の撮影装置、たとえばカメラ付き携帯電話機等にも適用できる。
【図面の簡単な説明】
【００６９】
【図１】本発明の実施形態に係るデジタルカメラの外観を示した正面図。
【図２】本発明の実施形態に係るデジタルカメラの外観を示した平面図。
【図３】本発明の実施形態に係るデジタルカメラの外観を示した背面図。
【図４】本発明の実施形態に係るデジタルカメラの内部構成を示したブロック図。
【図５】本発明の実施形態の流れを説明するフローチャート
【図６】ズームポジション値に対応する諸条件を示す表
【図７】パターンＮｏに対応するＴＥＬＥ−Ｍａｘ枠を示す図
【図８】表示手段（ファインダ又はＬＣＤ）の視野内を示す図
【図９】注意枠のパターンＮｏを取得するための表
【符号の説明】
【００７０】
１０…デジタルカメラ、２０…ファインダＬＥＤ、２８…液晶モニタ（表示手段）、３４…ファインダ（表示手段）、４２…表示ボタン、４４…ズーム拡大ボタン（、４６…ズーム縮小ボタン、５２…ＣＣＤ（撮像素子）、５８…デジタル信号処理部（画像取り込み手段）、６４…メモリカード（記録媒体）、６６…表示メモリ
【図１】
2006025092.tif 000003
【図２】
2006025092.tif 000004
【図３】
2006025092.tif 000005
【図４】
2006025092.tif 000006
【図５】
2006025092.tif 000007
【図６】
2006025092.tif 000008
【図７】
2006025092.tif 000009
【図８】
2006025092.tif 000010
【図９】
2006025092.tif 000011